【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
ユーザの操作に対応する操作信号を入力する入力部と、前記入力部によって入力される前記操作信号に基づいて所定の処理を行う本体部とを備え、前記入力部と前記本体部が無線接続される情報処理装置において、
前記入力部に内蔵され、前記本体部から送信され、代理応答手段を経由して受信した所定のコマンドに対応して応答する機能拡張手段と、
前記本体部に内蔵され、前記操作信号に基づいて前記機能拡張手段に送信する前記所定のコマンドを発生し、前記代理応答手段に送信するコマンド発生手段と、
前記本体部に内蔵され、前記機能拡張手段が起動している場合であって前記機能拡張手段から前記所定のコマンドに対する応答があるときは前記応答に対応する処理を行い、前記応答がないときはエラー処理を行うコマンド処理手段と、
前記本体部に内蔵され、前記機能拡張手段が起動していない場合、前記発生手段によって発生された前記所定のコマンドに対応して前記機能拡張手段の代わりに応答する代理応答手段と
を含む情報処理装置。
【請求項２】
前記代理応答手段は、前記機能拡張手段に起動コマンドまたは起動終了コマンドを送信し、前記送信したコマンドへの前記拡張手段の応答によって前記機能拡張手段が起動しているか否かを判断する
請求項１に記載の情報処理装置。
【請求項３】
前記機能拡張手段は、非接触ＩＣカードとデータを通信する非接触ＩＣカード対応リーダ／ライタである
請求項１に記載の情報処理装置。
【請求項４】
前記機能拡張手段が起動されてからの経過時間を計時する計時手段を
さらに含み、
前記代理応答手段は、前記経過時間に基づき、前記機能拡張手段の起動を終了させる前記起動終了コマンドを前記機能拡張手段に送信する
請求項２に記載の情報処理装置。
【請求項５】
前記計時手段の計時をリセットするリセット手段を
をさらに含む
請求項４に記載の情報処理装置。
【請求項６】
ユーザの操作に対応する操作信号を入力する入力部と、前記入力部によって入力される前記操作信号に基づいて所定の処理を行う本体部とを備え、
前記入力部は、機能拡張手段を内蔵し、
前記本体部は、コマンド発生手段、コマンド処理手段、および代理応答手段を内蔵し、
前記入力部と前記本体部が無線接続される情報処理装置の情報処理方法において、
前記コマンド発生手段による、前記操作信号に基づいて前記機能拡張手段に送信する前記所定のコマンドを発生し、前記代理応答手段に送信するコマンド発生ステップと、
前記機能拡張手段による、前記コマンド発生手段から送信され、代理応答手段を経由して受信した所定のコマンドに対応して応答する応答ステップと、
前記コマンド処理手段による、前記機能拡張手段が起動している場合であって前記機能拡張手段から前記所定のコマンドに対する応答があるときは前記応答に対応する処理を行い、前記応答がないときはエラー処理を行うコマンド処理ステップと、
前記代理応答手段による、前記機能拡張手段が起動していない場合、発生された前記所定のコマンドに対応して前記機能拡張手段の代わりに応答する代理応答ステップと
を含む情報処理方法。
【請求項７】
ユーザの操作に対応する操作信号を入力する入力部と、前記入力部によって入力される前記操作信号に基づいて所定の処理を行う本体部とを備え、
前記入力部は、機能拡張手段を内蔵し、
前記本体部は、コマンド発生手段、コマンド処理手段、および代理応答手段を内蔵し、
前記入力部と前記本体部が無線接続される情報処理装置の制御用のプログラムであって、
前記コマンド発生手段による、前記操作信号に基づいて前記機能拡張手段に送信する前記所定のコマンドを発生し、前記代理応答手段に送信するコマンド発生ステップと、
前記機能拡張手段による、前記コマンド発生手段から送信され、代理応答手段を経由して受信した所定のコマンドに対応して応答する応答ステップと、
前記コマンド処理手段による、前記機能拡張手段が起動している場合であって前記機能拡張手段から前記所定のコマンドに対する応答があるときは前記応答に対応する処理を行い、前記応答がないときはエラー処理を行うコマンド処理ステップと、
前記代理応答手段による、前記機能拡張手段が起動していない場合、発生された前記所定のコマンドに対応して前記機能拡張手段の代わりに応答する代理応答ステップと
を含む処理を情報処理装置のコンピュータに実行させるプログラム。
【手続補正２】
【補正対象書類名】明細書
【補正対象項目名】００１２
【補正方法】変更
【補正の内容】
【００１２】
本発明の一側面である情報処理装置は、ユーザの操作に対応する操作信号を入力する入力部と、前記入力部によって入力される前記操作信号に基づいて所定の処理を行う本体部とを備え、前記入力部と前記本体部が無線接続される情報処理装置において、前記入力部に内蔵され、前記本体部から送信され、代理応答手段を経由して受信した所定のコマンドに対応して応答する機能拡張手段と、前記本体部に内蔵され、前記操作信号に基づいて前記機能拡張手段に送信する前記所定のコマンドを発生し、前記代理応答手段に送信するコマンド発生手段と、前記本体部に内蔵され、前記機能拡張手段が起動している場合であって前記機能拡張手段から前記所定のコマンドに対する応答があるときは前記応答に対応する処理を行い、前記応答がないときはエラー処理を行うコマンド処理手段と、前記本体部に内蔵され、前記機能拡張手段が起動していない場合、前記発生手段によって発生された前記所定のコマンドに対応して前記機能拡張手段の代わりに応答する代理応答手段とを含む。
【手続補正３】
【補正対象書類名】明細書
【補正対象項目名】００１３
【補正方法】変更
【補正の内容】
【００１３】
前記代理応答手段は、前記機能拡張手段に起動コマンドまたは起動終了コマンドを送信し、前記送信したコマンドへの前記拡張手段の応答によって前記機能拡張手段が起動しているか否かを判断するようにすることができる。
前記機能拡張手段は、非接触ＩＣカードとデータを通信する非接触ＩＣカード対応リーダ／ライタとすることができる。
【手続補正４】
【補正対象書類名】明細書
【補正対象項目名】００１４
【補正方法】変更
【補正の内容】
【００１４】
本発明の一側面である情報処理装置は、前記機能拡張手段が起動されてからの経過時間を計時する計時手段をさらに含み、前記代理応答手段は、前記経過時間に基づき、前記機能拡張手段の起動を終了させる前記起動終了コマンドを前記機能拡張手段に送信するようにすることができる。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
本発明の一側面である情報処理装置は、前記計時手段の計時をリセットするリセット手段ををさらに含むことができる。
【手続補正８】
【補正対象書類名】明細書
【補正対象項目名】００１８
【補正方法】変更
【補正の内容】
【００１８】
本発明の一側面である情報処理方法は、ユーザの操作に対応する操作信号を入力する入力部と、前記入力部によって入力される前記操作信号に基づいて所定の処理を行う本体部とを備え、前記入力部は、機能拡張手段を内蔵し、前記本体部は、コマンド発生手段、コマンド処理手段、および代理応答手段を内蔵し、前記入力部と前記本体部が無線接続される情報処理装置の情報処理方法において、前記コマンド発生手段による、前記操作信号に基づいて前記機能拡張手段に送信する前記所定のコマンドを発生し、前記代理応答手段に送信するコマンド発生ステップと、前記機能拡張手段による、前記コマンド発生手段から送信され、代理応答手段を経由して受信した所定のコマンドに対応して応答する応答ステップと、前記コマンド処理手段による、前記機能拡張手段が起動している場合であって前記機能拡張手段から前記所定のコマンドに対する応答があるときは前記応答に対応する処理を行い、前記応答がないときはエラー処理を行うコマンド処理ステップと、前記代理応答手段による、前記機能拡張手段が起動していない場合、発生された前記所定のコマンドに対応して前記機能拡張手段の代わりに応答する代理応答ステップとを含む。
【手続補正９】
【補正対象書類名】明細書
【補正対象項目名】００１９
【補正方法】変更
【補正の内容】
【００１９】
本発明の一側面であるプログラムは、ユーザの操作に対応する操作信号を入力する入力部と、前記入力部によって入力される前記操作信号に基づいて所定の処理を行う本体部とを備え、前記入力部は、機能拡張手段を内蔵し、前記本体部は、コマンド発生手段、コマンド処理手段、および代理応答手段を内蔵し、前記入力部と前記本体部が無線接続される情報処理装置の制御用のプログラムであって、前記コマンド発生手段による、前記操作信号に基づいて前記機能拡張手段に送信する前記所定のコマンドを発生し、前記代理応答手段に送信するコマンド発生ステップと、前記機能拡張手段による、前記コマンド発生手段から送信され、代理応答手段を経由して受信した所定のコマンドに対応して応答する応答ステップと、前記コマンド処理手段による、前記機能拡張手段が起動している場合であって前記機能拡張手段から前記所定のコマンドに対する応答があるときは前記応答に対応する処理を行い、前記応答がないときはエラー処理を行うコマンド処理ステップと、前記代理応答手段による、前記機能拡張手段が起動していない場合、発生された前記所定のコマンドに対応して前記機能拡張手段の代わりに応答する代理応答ステップとを含む処理を情報処理装置のコンピュータに実行させる。
【手続補正１０】
【補正対象書類名】明細書
【補正対象項目名】００２０
【補正方法】変更
【補正の内容】
【００２０】
本発明の一側面においては、操作信号に基づいて機能拡張手段に送信する所定のコマンドが発生されて送信され、機能拡張手段が起動している場合、所定のコマンドに対応して応答が行なわれてこの応答に対応する処理が行われる。また、応答がないときはエラー処理が行われる。機能拡張手段が起動していない場合、発生された所定のコマンドに対応して前記機能拡張手段の代わりに応答が行われる。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】